(57)【特許請求の範囲】
【請求項１】
主体及びコネクタの端子を回路基板に接続するための半田付け部を具備する基体と、
前記主体の対向する両側から曲折して形成され、上方へ延伸して幅が次第に狭くなることによって、対向して設置される２つの接続部が形成され、該接続部の末端部には接触部が形成され、該接触部上の前記主体に近接した一側に案内部が延伸され、該案内部は前記主体の上方に位置され、案内部に形成される案内空間が主体の直上方に位置され、かつ端子が平面に展開された場合には、案内部が互いに接触する両アームと、
を含み、
前記主体の前表面に凹所が一つ設けられ、該凹所内に前記主体から一体に延伸した係止シートが形成され、該係止シートは適切な角度で主体から外部へ曲折している
ことを特徴とするソケットコネクタの端子。
【請求項２】
前記コネクタの端子の接続部の間には、共同の収容空間が形成され、前記２つの接続部は、上方ヘ互いに平行に延伸され、かつその末端部の接触部も互いに平行になっていることを特徴とする請求項１記載のソケットコネクタの端子。
【請求項３】
前記アームが上方へ延伸して基体を越える高さは、ＣＰＵピンの長さにより調整可能であることを特徴とする請求項２記載のソケットコネクタの端子。
【請求項４】
前記コネクタの端子が平面に展開された場合に、該端子の２つのアームの間には、互いに接触する案内部によって密封された長方形が形成されていることを特徴とする請求項３記載のソケットコネクタの端子。
【発明の詳細な説明】
【０００１】
【発明の属する技術分野】
本発明はソケットコネクタの端子に関し、特に、集積回路部材と回路基板とを電気的に導通させるゼロ挿入力ソケットコネクタの端子に関するものである。
【０００２】
【従来の技術】
通常、集積回路部材（例えばＣＰＵ）を搭載し、回路基板に組付けられるためのソケットコネクタには、ゼロ挿入力端子が設けられている。該ソケットコネクタの端子の一端は回路基板に半田付けされ、もう一端には、ＣＰＵピンを挿着することによって、ＣＰＵと回路基板との電気的接続を実現する。該ＣＰＵは電気コネクタの性能に対する要求が極めて高く、そのピンも極めて細密なため、ソケットコネクタの端子と端子とのピッチが小さければ小さいほど良い。図１に示すように、特許文献１に記載されたＣＰＵソケットコネクタの端子５は、基体５１と一対のアーム５２を含み、前記基体５１は、コネクタの端子収容溝内に収容され、且つ該収容溝の内壁に近接される主体５１１と、該主体から両側方向へ延伸された係止部５１１１と、前記コネクタの端子をソケットコネクタの端子収容溝に固着させるためのネック部５１２と、プリント回路基板に半田付け可能な半田付け部５１３とを含む。各アーム５２は、前記基体の対向する両側から下方向へ傾斜して延出され、且つ対応する端子収容溝の内壁に密着される上アーム５２１と、該上アームの自由端から上方向へ傾けて一体に延出された前アーム５２２と、該前アームの自由端に設けられた接触部５２３と、該接触部から主体方向へ傾けて一体に延伸された案内部５２４とを含む。
【０００３】
【特許文献１】
米国特許第６３１９０３８号明細書
【０００４】
図２は、前記コネクタの端子５の金属ストリップでの展開配列図である。前記コネクタの端子のアーム５２は、基体５１の傍側に設置され、且つ前記両案内部５２４の間には、ネック部５１２が備えられ、両案内部５２４は、前記ネック部５１２の両側に位置し、端子のアーム５２は、基体５１の左右両側の材料によって成形されてから、内方向へ曲折して形成されるため、各端子のストリップ上に占める幅が大きくなると共に、隣接する端子間の中心距離も大きくなり、前記端子の展開面積も増加し、材料も浪費され、隣接する端子間の距離も大きくなる。通常の組合せプロセスにおいては、端子を、前記ストリップに連結された状態で配列したままソケットに組合せるため、該端子の構造によっては、ストリップ上の端子のピッチがソケットの収容溝の短い距離に対応できなくなり、これにより、組合せ難度も増加し、打ち抜き又は電気鍍金との組合せ効率も低くなり、且つ製造コストも上昇する。一般的に、ＣＰＵピンの導電率と耐挿着機能を向上させるためには、電気鍍金する時に、端子の案内部５２４のみに鍍金すればよい。しかし、従来の端子ストリップの製造時には、支持部６０が２つの案内部５２４の上方に設置されているため、電気鍍金する場合に、前記主体に鍍金してしまいやすく、恐るべき浪費となり、コストも高くなる。
【０００５】
図３に示すように、前記コネクタの端子の係止部による干渉力は、左右方向即ちＢ’方向への移動のみを制限し、前後方向即ちＡ’方向への移動は、制限されにくいため、前後方向では不安定になる。そして、ＣＰＵピンが案内部へ移動してくるときに、前記端子がＣＰＵピンに連動して前方向へ移動されやすいので、ＣＰＵと前記端子との接触に影響し、更にＣＰＵの電気信号の伝送に影響する。
【０００６】
【発明が解決しようとする課題】
本発明は、打ち抜き、電気鍍金及び実装効率を向上させ、原材料も節約し、安定して係止されるソケットコネクタの端子を提供することを目的とする。
【０００７】
【課題を解決するための手段】
本発明の主な目的に基づいて、本発明におけるソケットコネクタの端子は、基体と２つのアームとを含み、前記基体は主体及び該コネクタの端子を回路基板に接続するための半田付け部を含み、２つのアームは前記主体の対向する両側から延出され、対向して設置され、互いに平行な接続部と、２つの接続部から主体の外方へ延伸した接触部と、２つの接触部から前記主体の両側方向へ延伸した案内部とを含む。且つ、案内部は主体の上方に位置され、該案内部によって形成された案内空間は主体の直上方に位置される。主体の前端に凹所が一つ設けられ、該凹所内に、前記主体から延伸され、適切な角度に曲折された係止シートを形成するために、コネクタの端子が、前記ソケットコネクタの収容溝内に、前後方向において安定に結合される。且つ、２つのアームは、材料の内側から展開されるため、隣接する２つの端子間のピッチが小さくなり、打ち抜き及び電気鍍金の効率が、いずれも向上する。ストリップ上の端子間のピッチが小さくなることによって、端子を組付ける場合に、端子を挿入する実装の回数も低減できる。前記端子の成形プロセスにおいて、ストリップの支持部は底部に設置されているため、端子の電気鍍金をする時に、端子の上部のみを電気鍍金でき、従って貴重な材料を節約し、コストも低減することができる。
【０００８】
【発明の実施の形態】
図４に示すように、本発明のソケットコネクタの端子は、基体１０と２つのアーム２０を含み、基体１０は、主体１１及び前記コネクタの端子を回路基板に半田付けするために用いられる半田付け部１２を含む。主体１１の前表面には、凹所１１１が一つ設けられ、該凹所１１１内には、前記主体１１から一体として延伸され、適切な角度で外方向へ曲折された係止シート１１２が形成されているため、コネクタの端子１は、前記ソケットコネクタの収容溝に、前後方向において安定に係止される。
【０００９】
前記の２つのアーム２０は、前記主体１１の対向する両側から延出され、該アーム２０は上方向へ延伸するにつれて、幅が次第に狭くなり、その高さは基体１０の高さより高い。該アーム２０が上方へ延伸して基体１０を越える部分は、挿入するＣＰＵピン４０の長さによって調整できる。前記アーム２０は、対向して設置され、互いに平行な２つの接続部２１を含み、該２つの接続部２１の間には、ＣＰＵピン４０を収容する収容空間２５が形成され、該接続部２１の末端には、接触部２２が形成され、該接触部２２の主体に近接した一側は、案内部２３を延伸している。この設計によって、案内部２３は、主体１１の直上方に位置させられ、対称的に設置された２つの案内部２３の間には、ＣＰＵピン４０が挿入されるために用いられる、より大きい案内空間２４が形成されている。
【００１０】
図４と図５を参照すると、前記コネクタの端子１を展開してストリップ上に配列する場合、即ち曲折して成形していない状態では、端子１の２つのアーム２０の間には、密封された長方形が形成され、２つのアーム２０の案内部２３は、互いに接触した状態で主体の上方に位置し、当該端子を平面に展開した後には、両アーム２０の案内部２３は、互いに接触するため、案内部２３の長さが変らないのに対して、端子の幅は狭くなり、隣接する端子間のピッチも小さくなる。このような構造を持つ端子のストリップ上でのピッチは、前記コネクタ収容溝によって変らされる。一般的に、ソケットコネクタにおける端子間のピッチは、ストリップ上での端子間のピッチより小さく形成されているため、複数回の挿入で、ソケットコネクタの端子穴を完全にうめることができるものであるが、本発明のソケットコネクタの端子は、前記端子の構造の改善によって、端子間のピッチが小さくさせられていて、該端子の実装の回数が減少され、実装効率も高められている。本発明のソケットコネクタの端子１のストリップの支持部３０は、底部に設置されているため、即ち該支持部３０は、半田付け部１２の下方に位置するため、電気鍍金のスピードも高められ、電気鍍金の原料も節約され、従来の技術問題を克服することができる。
【００１１】
図６を参照すると、ＣＰＵピン４０を本発明のソケットコネクタに挿入する時には、先ずコネクタの端子１の案内空間２４内に挿入した後に、Ａ方向に沿って、端子の接触部２２が形成している収容空間２５に進入させ、且つ端子の接触部２２と接触させ、回路基板とＣＰＵとを電気的に接続させるようにする。又、該端子の係止シート１１２は、主体１１の上部に設置されているため、該端子は、前後方向Ｂにおいてソケットコネクタの収容溝中に安定して係止される。
【００１２】
前記は単なる本発明の実施の形態にすぎず、その請求範囲を限定するものではなく、また本発明に基づいてなしうる細部の修正或いは変更は、いずれも本発明の特許請求の範囲に属するものとする。
【図面の簡単な説明】
【図１】  従来のソケットコネクタの端子の斜視図。
【図２】  従来のソケットコネクタの端子が展開された後に、ストリップに配列された状態の見取り図。
【図３】  ＣＰＵピンが従来のソケットコネクタの端子に挿入された状態を頂面から見た図。
【図４】  本発明のソケットコネクタの端子の斜視図。
【図５】  本発明のソケットコネクタの端子が展開された後にストリップに配列された状態の見取り図。
【図６】  ＣＰＵピンが本発明のソケットコネクタの端子に挿入された状態を頂面から見た図。
【符号の説明】
１                          端子
１０                        基体
１１                        主体
１２                        半田付け部
２０                        アーム
２１                        接続部
２２                        接触部
２３                        案内部
２４                        案内空間
２５                        収容空間
３０                        支持部
４０                        ＣＰＵピン
１１１                      凹所
１１２                      係止シート
【図１】
0004149797.tif 000002
【図２】
0004149797.tif 000003
【図３】
0004149797.tif 000004
【図４】
0004149797.tif 000005
【図５】
0004149797.tif 000006
【図６】
0004149797.tif 000007